(57)【要約】      （修正有）【課題】電気や水道が無い、もしくは一時的に使用できない場合でも使用でき、使用時に水が床あるいは便座に飛び散ることを防ぐことによって衛生的で、かつ滑って転倒することを防ぐという安全な環境を保ち、必要最低限の機能のみを持たせることによって安価に製造、販売できる洗浄シャワーを提供する。【解決手段】着脱可能な蓋を有する貯水容器３と、貯水容器の蓋に取り付けられた本体９と、本体に取り付けられた空気弁１、栓６、ホース５と、ホースの先端に取り付けられたノズル７とで構成され、空気弁１から空気を封入することにより貯水容器３内の圧力を高め、本体９に取り付けられた栓６を開けることにより水を噴出させる液体噴出手段を有しており、空気弁１から封入された空気による空気圧を動力源とすることから、電気や水道を必要とせずに使用することができる洗浄シャワー。【選択図】図１
2017205469.tif 000002
【特許請求の範囲】
【請求項１】
貯水容器、貯水容器に加圧した空気を流入した後封止することができる空気弁、液体の噴出量を制御することができる栓、液体噴射用ノズル付きチューブが本体に付いた構成を持ち、液体の入った貯水容器に空気を封入することで貯水容器内の空気圧を高め、それによってノズルから排泄後の人体器官を洗浄するために液体が出る機能を持ち、一般的な西洋式トイレに取り付けることができ、一定の角度をもって液体を噴出することができる液体噴射装置。
【発明の詳細な説明】
【技術分野】
【０００１】この発明は電気又は水道もしくはその両方が使用できない開発途上国、及び電気又は水道もしくはその両方が使用できない災害時に使用するトイレ用洗浄シャワーに関するものである。
【背景技術】
【０００２】  現在、開発途上国では排泄後の後始末として、水道に繋がれた金属製のホースの一方の端にシャワーヘッドが付いた洗浄シャワーが広く使用されており、シャワーヘッドを操作することによって水を出すことができる。しかし排泄後におしりを洗浄する際、水が適切な位置に当たらないことがあり、床あるいは便座が濡れてしまう。このように飛び散った水は様々な病気の原因となるため衛生面に問題があり、かつ床が滑りやすくなる要因となっている。
また地域によっては水道が通っておらず、このような洗浄シャワーを導入することができない家庭も存在する。このような地域ではその代わりに手桶が使用されているが、排泄後におしりを洗浄する際、手を直接使用するので不衛生である。さらに水が適切な位置に当たらないことがあり、床あるいは便座が濡れてしまって衛生面に問題があり、床が滑りやすくなる要因ともなっている。【０００３】このような現状に対し、現在提案されているものとして、先進国で普及しているような便座と一体となった洗浄シャワーや特許文献１のような液体噴射装置がある。
【先行技術文献】
【特許文献】
【０００４】
【特許文献１】特開平１１−１９７０５３
【発明の概要】
【発明が解決しようとする課題】
【０００５】しかしながら、先進国で普及している洗浄シャワーは収入の少ない開発途上国の人々にとって非常に高価であり、これを購入することは難しい。加えて、この洗浄シャワーは電気や水道を必要とするため、それらの設備の無い開発途上国、又は一時的に電気や水道を使用できなくなる災害時には使用することができない。【０００６】また、特許文献１のような液体噴射装置にて使用されている発泡剤は消耗品であることに加え、容易に手に入るものではないため、物の流通が少ない開発途上国や緊急を要する災害時には適さない。【０００７】本発明は、電気や水道が無い、もしくは一時的に使用できない場合でも使用でき、使用時に水が床あるいは便座に飛び散ることを防ぐことによって衛生的で、かつ滑って転倒することを防ぐという安全な環境を保ち、必要最低限の機能のみを持たせることによって安価に製造、販売できる洗浄シャワーを提供することを目的とする。
【課題を解決するための手段】
【０００８】上記の目的を達成するために考案された本発明は、着脱可能な蓋を有する貯水容器と、貯水容器の蓋に取り付けられた本体と、本体に取り付けられた空気弁、栓、ホースと、ホースの先端に取り付けられたノズルとで構成される。【０００９】また、この発明は空気弁から空気を封入することにより貯水容器内の圧力を高め、本体に取り付けられた栓を開けることにより水を噴出させる液体噴出手段を有する。【００１０】空気弁から封入された空気による空気圧を動力源とすることから、電気や水道を必要とせずに使用することができ、必要最低限の機能を持った構造であるため、安価に製造、販売をすることができる。【００１１】なお、この洗浄シャワーに使用する液体は殺菌効果のある薬品が含まれるものを用いてもよい。あるいは、壁や自家用車などを洗浄する高圧洗浄器として使用してもよい。
【発明の効果】
【００１２】以上説明したように、本発明は着脱可能な蓋を有する貯水容器と、貯水容器の蓋に取り付けられた本体と、本体に取り付けられた空気弁、栓、ホースと、ホースの先端に取り付けられたノズルとで構成され、空気弁から空気を封入することによりタンク内の圧力を高め、本体に取り付けられた栓を開けることにより液体を噴出させる液体噴出手段とを有するものであり、封入する空気による空気圧を動力源とすることにより、電気や水道が無い、もしくは一時的に使用できない場合でも使用でき、必要最低限の機能のみを持たせることによって安価に製造、販売できる洗浄シャワーを提供することができる。
【図面の簡単な説明】
【００１３】
【図１】本発明による洗浄シャワーの側面図及び基本構図である。
【図２】本発明による洗浄シャワーの上面図である。
【図３】一般的な西洋式トイレへの本発明の取り付け側面図である。
【図４】一般的な西洋式トイレへの本発明の取り付け上面図である。
【符号の説明】
【００１４】１…空気弁
２…キャップ
３…貯水容器
４…液体
５…ホース
６…栓
７…ノズル
８…噴出口
９．．．本体
１０．．．西洋式トイレ
【発明を実施するための形態】
【００１５】本発明による洗浄シャワーを図面を参照して説明する。図１は本発明の基本構図である。貯水容器３は着脱可能なキャップ２によって密閉性が保たれるものを使用する。キャップ２が接続されている開口部より液体４を充填する。貯水容器３のキャップ２には、本体９が付き、本体９には貯水容器３の外側から封入した空気が内側に保たれるような空気弁１、キャップ２に液体が通るような柔らかいホース５が接続される。ホース５の端には噴出口８を有するノズル７が接続され、貯水容器３内の液体４はホース５及びノズル７を通り、噴出口８から噴出する。また、貯水容器３内の空気圧を高圧に保つため、本体９には栓６が設けられ、この栓６を開くことにより液体がホース５内を通ることができる。
【００１６】以上のように構成された洗浄シャワーは次のようにして使用される。まずキャップ２を開くことで得られる開口部より液体４を入れ、液体４の充填が完了したらキャップ２をしっかりと閉め、貯水容器３の密閉性を保つ。次にキャップ２に設けられた空気弁１より市販の人力を動力とする空気入れを用いて貯水容器３に空気を封入する。このような状況下において使用者は適宜、栓６を開けることにより封入した空気による空気圧を動力源として貯水容器３内の液体が本体９、ホース５、ノズル７を通り、噴出口８より勢いよく噴出する。
【図１】
2017205469.tif 000003
【図２】
2017205469.tif 000004
【図３】
2017205469.tif 000005
【図４】
2017205469.tif 000006